(57)【要約】【課題】特に肩ひもが不要な滑り落ち防止ストラップレスブラジャーを提供する。【解決手段】２つのカップと、２つの脇側ラインと、調整ベルトとを有し、その内、該カップは、左右対称に連結され、内表面に滑り止め生地が設置され、該脇側ラインは、それぞれ前記２つのカップの外側縁に縫合され、該調整ベルトは、両端がそれぞれ脱着可能に該２つの脇側ラインに連結される、長さ調整可能なものである。【選択図】図１
0003174563.tif 000002
【実用新案登録請求の範囲】
【請求項１】
内表面に滑り止め生地が設けられると共に、左右対称に連結される２つのカップと、
それぞれ前記２つのカップの外側縁に縫合される２つの脇側ラインと、両端がそれぞれ脱着可能に該２つの脇側ラインに連結される、長さ調整可能な調整ベルトとを有することを特徴とする滑り落ち防止ストラップレスブラジャー。
【請求項２】
前記滑り止め生地は、縫合手段により前記カップの内表面に設置され、且つ、摩擦係数が高い生地となるように、該滑り止め生地に複数のプラスチック材料のパターンが形成されることを特徴とする請求項１に記載の滑り落ち防止ストラップレスブラジャー。
【請求項３】
前記２つのカップの中間における下縁内側にフックが設けられ、該フックを介して前記２つのカップを脱着可能に連結することを特徴とする請求項２に記載の滑り落ち防止ストラップレスブラジャー。
【請求項４】
前記脇側ラインの末端に掛合部が設けられ、脱着可能に該掛合部に掛止されると共に、前記調整ベルトの両端にそれぞれ、該掛合部と対応する掛合部材が設けられることを特徴とする請求項２に記載の滑り落ち防止ストラップレスブラジャー。
【請求項５】
前記１つの脇側ラインの末端に掛合部が設けられ、
前記調整ベルトにおける一端に、脱着可能に該脇側ラインの掛合部に掛合される掛合部材が設けられることを特徴とする請求項２に記載の滑り落ち防止ストラップレスブラジャー。
【請求項６】
前記各脇側ラインは、２対の扁平状のひもから構成され、そのうち、１対のひもの内端は、対応する前記カップの外側に縫合されると共に、もう１対のひもの内端は、前記カップの下縁に縫合され、前記カップに縫合される２本のひもの外端が縫合されることを特徴とする請求項３乃至５の何れか１項に記載の滑り落ち防止ストラップレスブラジャー。
【請求項７】
前記脇側ラインが前記カップの外側縁に一体成形されることを特徴とする請求項３乃至５の何れか１項に記載の滑り落ち防止ストラップレスブラジャー。
【請求項８】
前記カップの下縁にワイヤが設置されることを特徴とする請求項６に記載の滑り落ち防止ストラップレスブラジャー。
【請求項９】
前記カップ、脇側ライン、調整ベルトが水着素材から構成されることを特徴とする請求項６に記載の滑り落ち防止ストラップレスブラジャー。
【請求項１０】
前記調整ベルトの一端近傍に、長さ調整可能な調整リングが設けられることを特徴とする請求項６に記載の滑り落ち防止ストラップレスブラジャー。
【考案の詳細な説明】
【技術分野】
【０００１】
本考案は、女性の下着に関し、特に肩ひもが不要な滑り落ち防止ストラップレスブラジャーに関するものである。
【背景技術】
【０００２】
従来のブラジャーは、下端外側からそれぞれ左右の脇側へ向かって広がるように延設される脇部ベルト及び背中ベルトを有し、それらのベルトにより胸部付近の脇肉及び脂肪をカップに集めてホックにより背中側で固定するものであるが、天気が暑い時には、その脇部ベルト及び背中ベルトが胸部側部及び脇側部に密着することから、そのカバーされた部分が蒸し暑くなり、また、ストラップレスやワンショルダー、キャミソールなどの衣類を着る時には、ブラジャーの肩ひもが露出しまうといった欠点があった。
【０００３】
上述したような衣類に合わせるために、後にストラップレスブラジャーが案出された。このストラップレスブラジャーは、綿素材からなる物であり、胸部に密着させることができないので、激しく動くと、ブラジャーがずれてしまい、胸部が露出する虞があった。
【０００４】
近年のおいては、ヌーブラなるものが流行しているが、この物は、ストラップレスの衣類を着ても肩ひもが露出しないので、上述の問題を解決することはできるが、ヌーブラは粘着性と弾力性を有する、汗を吸収しないシリコン素材からなり、胸に直接貼りつけて使用するものであることから、汗をかくと、皮膚炎を発症しやすいと共に、粘着性を失って脱落する虞もあった。
【考案の概要】
【考案が解決しようとする課題】
【０００５】
従来のブラジャーは、ストラップレスやワンショルダー、キャミソールなどの衣類を着る時、肩ひもが露出するので、見た目が悪くなるといった問題があった。この問題を解決するために、肩ひもなしのヌーブラを開発することにより、露出という問題を解決したが、ヌーブラは、シリコン素材からなり、汗を吸収しないことから、汗をかくと粘着性を失って所定の位置から脱落する虞があり、また、一般なブラジャーは、胸部付近の肉を大きな面積でカバーすることから、肌が蒸し暑くなって皮膚炎が発生しやすいという問題があった。
【課題を解決するための手段】
【０００６】
本考案に係る落ち防止ブラジャーは、内表面に滑り止め生地が設けられると共に、左右対称に連結される２つのカップと、
それぞれ前記２つのカップの外側縁に縫合される２つの脇側ラインと、両端がそれぞれ脱着可能に該２つの脇側ラインに連結される、長さ調整可能な調整ベルトとを有するものである。
【０００７】
前記滑り止め生地は、縫合手段により前記カップの内表面に設置され、且つ、摩擦係数が高い生地となるように、該滑り止め生地に複数のプラスチック材料のパターンが形成されてもよい。
【０００８】
前記２つのカップの中間における下縁内側にフックが設けられ、該フックを介して前記２つのカップを脱着可能に連結してもよい。
【０００９】
前記脇側ラインの末端に掛合部が設けられ、脱着可能に該掛合部に掛止されると共に、前記調整ベルトの両端にそれぞれ、該掛合部と対応する掛合部材が設けられてもよい。
【００１０】
前記１つの脇側ラインの末端に掛合部が設けられ、
前記調整ベルトにおける一端に、脱着可能に該脇側ラインの掛合部に掛合される掛合部材が設置されてもよい。
【００１１】
前記各脇側ラインは、２対の扁平状のひもから構成され、そのうち、１対のひもの内端は、対応する前記カップの外側に縫合されると共に、もう１対のひもの内端は、前記カップの下縁に縫合され、前記カップに縫合される２本のひもの外端が縫合されてもよい。
【００１２】
前記脇側ラインが前記カップの外側縁に一体成形されてもよい。
【００１３】
前記カップの下縁にワイヤが設置されてもよい。
【００１４】
前記カップ、脇側ライン、調整ベルトが水着素材から構成されても構わない。
【００１５】
前記調整ベルトの一端近傍に、長さ調整可能な調整リングが設けられることが好ましい。
【考案の効果】
【００１６】
本考案に係る滑り落ち防止ストラップレスブラジャーは上記の如く、以下に示すような効果を有する。
１．本考案の滑り落ち防止ストラップレスブラジャーは、カップの内表面に滑り止め生地が設けられ、胸部に滑り止め生地を貼り付けながらカップで包み込むので、頻繁に調整しなくても好ましい胸の形を長時間に亘りキープできる。
２．また、本考案は、従来の肩ひもを改良して調整可能な調整ベルトを設けたものであることから、使用者は、ブラジャーをつける時に簡単にベルトの長さを調整することができると共に、本考案には、タイプの異なる実施例を提出していることから、使用者が着衣に応じて適当なブラジャーを選択することができる。
３．本考案は、水着素材からなるタイプも有し、その水着のカップの内表面に滑り止め生地が設けられることから、水上スポーツを行っても脱落を防止できるので、使用上の実用性に優れている。
【図面の簡単な説明】
【００１７】
【図１】本考案に係る滑り落ち防止ストラップレスブラジャーの第一実施例を示す斜視図である。
【図２】本考案に係る滑り落ち防止ストラップレスブラジャーの第一実施例を示す部分拡大斜視図である。
【図３】本考案に係る滑り落ち防止ストラップレスブラジャーの使用状態を示す斜視図である。
【図４】本考案に係る滑り落ち防止ストラップレスブラジャーの第二実施例を示す斜視図である。
【図５】本考案に係る滑り落ち防止ストラップレスブラジャーの第三実施例を示す斜視図である。
【図６】本考案に係る滑り落ち防止ストラップレスブラジャーの第四実施例を示す斜視図である。
【考案を実施するための形態】
【００１８】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【実施例】
【００１９】
図１及び図２に示すように、本考案に係る滑り落ち防止ストラップレスブラジャーは、２つのカップ１０と、２つの脇側ライン２０と、調整ベルト３０とを有する。
【００２０】
図１に示す本考案に係る第一実施例においては、前記２つのカップ１０が左右対称に下端中央内側において連結されている円弧状カップであり、そのカップの外表面に色彩や柄、模様などの修飾を有すると共に、内表面に縫合手段或いは粘着手段によって滑り止め生地１１が設けられ、下縁に、胸部を包み込んでアップさせ、胸の形を綺麗にするためのワイヤ１２が設けられている。また、その滑り止め生地１１には、シルクスクリーン手段により複数のプラスチック材料のパターンが形成され、摩擦係数が高い生地であることから、胸に直接貼りつけると、その高摩擦力により胸部をカップ１０に集めて位置決め固定することができる。
【００２１】
図２に示すように、前記２つの脇側ライン２０はそれぞれ、前記２つのカップ１０の外側縁に縫合される、２対の脇ひもからなるものであり、その外端に掛合部２１が設けられ、そのうち、１対の脇ひもの内端がそれぞれ対応するカップ１０の上段に縫合されると共に、もう１対の脇ひもの内端がそれぞれ対応するカップ１０の下縁に縫合され、更に、同側の２本の脇ひもの外端が互いに重ねて三角形を囲むように縫合される。
【００２２】
前記調整ベルト３０は、細長状を呈し、着脱可能に前記掛合部２１に掛合されると共に、両端に設置される２つの掛合部材３１と、一端近傍に設置される長さ調整可能な調整リング３２とを備える。また、その調整リング３２は、２つの孔部を有する８字形のものであり、該調整ベルト３０が孔部を通って長さ調整可能に調整リング３２に設置される。
【００２３】
図３に示す本考案に係る第一実施例を使用するときは、胸部に滑り止め生地１１を貼り付けるようにカップ１０でカバーすると共に、調整ベルト３０を背中に回して掛合部材３１を介して脇側ライン２０の掛合部２１に掛止して固定し、調整リング３２により調整ベルト３０を適当な長さに調整すれば、カップ１０が滑り止め生地１１の高摩擦性によりずれらずにピッタリと胸部をカバーすることができるので、使用者が大きく激しい動作をしてもブラジャーがズレ落ちることはない。なお、本考案に係るブラジャーを使用すれば、肩ひもを露出することがないので、ストラップレス、ワンショルダー、キャミソールなどの衣類を着ても安心である。
【００２４】
図４に示す本考案に係る第二実施例は、その殆どが第一実施例と同一であるが、脇側ライン２０Ａがカップ１０Ａの外側縁から一体成形される布体であり、一方の脇側ライン２０Ａの末端に掛合部２１Ａが設けられると共に、調整ベルト３０Ａの一端が一側の脇側ライン２０Ａの外側縁に固定され、調整ベルト３０Ａの他端に、脱着可能に他側の脇側ライン２０Ａの掛合部２１Ａに掛止される掛合部材３１Ａが設置されるという点において異なる。故に、この構成は、カップ１０Ａの一側に設けられる掛合部２１Ａ及び掛合部材３１Ａによりブラジャーの着脱を行なうタイプである。
【００２５】
図５に示す本考案に係る第三実施例は、２つのカップ１０Ｂが離間しており、それらの下端における対応し合う位置にそれぞれフック１１Ｂが設けられ、そのフック１１Ｂにより該２つのカップ１０Ｂの着脱を行なうものである。故に、この構成は、カップ１０Ｂの間におけるフック１１Ｂによりブラジャーの着脱を行なうタイプである。
【００２６】
図６に示す本考案に係る第四実施例は、その殆どが第一実施例と同一であるが、そのカップ１０Ｃ、脇側ライン２０Ｃ、調整ベルト３０Ｃが柔軟性に優れ、肌触りの良い水着素材から構成され、ワイヤ１２を用いていない点において異なる。尚、脇側ライン２０Ｃ及び調整ベルト３０Ｃについては第一実施例と同一である。故に、この構成は、柔軟性を有し、乾きやすく、肌触りに優れた素材から構成されるので、水上競技などを行っても脱落することはない。
【００２７】
尚、前記滑り止め生地１１は、プラスチック材料のパターンを有する生地からなってもよく、発泡技術により高摩擦性を備えるプラスチック材料からなってもよい。
【産業上の利用可能性】
【００２８】
本考案は上記の構成を有することから、使用時に、胸部に滑り止め生地を貼り付けながらカップで包み込んで胸の形を綺麗にすると共に、調整ベルトを背中まで回して適当な長さに調整すれば、ブラジャーを固定することができる。さらに、水着素材からなるタイプも有するので、水上スポーツを行っても脱落することはない。
【符号の説明】
【００２９】
１０、１０Ａ、１０Ｂ、１０Ｃ・・カップ
１１・・・・・・・・・・・・・・滑り止め生地
１１Ｂ・・・・・・・・・・・・・フック
１２・・・・・・・・・・・・・・ワイヤ
２０、２０Ａ、２０Ｃ・・・・・・脇側ライン
２１、２１Ａ・・・・・・・・・・掛合部
３０、３０Ａ、３０Ｃ・・・・・・調整ベルト
３１、３１Ａ・・・・・・・・・・掛合部材
３２・・・・・・・・・・・・・・調整リング
【図１】
0003174563.tif 000003
【図２】
0003174563.tif 000004
【図３】
0003174563.tif 000005
【図４】
0003174563.tif 000006
【図５】
0003174563.tif 000007
【図６】
0003174563.tif 000008